(57)【特許請求の範囲】
【請求項１】
釣竿等の長尺状物品を収容すべく形成されたバック本体（１）に肩ベルト（３）と持ち手（４）とが取り付けられ、肩ベルト（３）は、バック本体（１）の長手方向に沿って所定間隔離間して設けられた一対の取付部（５，５）に、上下両端部が各々取り付けられて肩掛け可能に構成されている長尺状物品収容バックにおいて、バック本体（１）の両取付部（５，５）間には、肩ベルト（３）の中途部の所定箇所をバック本体（１）に止着するベルト保持手段が設けられていることを特徴とする長尺状物品収容バック。
【請求項２】
肩ベルト（３）の裏面には被係着部（１２ｂ）が設けられ、バック本体（１）には、被係着部（１２ｂ）が係着可能な係着部（１２ａ）がベルト保持手段として設けられている請求項１記載の長尺状物品収容バック。
【請求項３】
肩ベルト（３）には肩当てパッド部（１１）が設けられ、該肩当てパッド部（１０）より下方側の位置に被係着部（１２ｂ）が設けられている請求項２記載の長尺状物品収容バック。
【請求項４】
釣竿等の長尺状物品を収容すべく形成されたバック本体（１）に肩ベルト（３）と持ち手（４）とが取り付けられ、肩ベルト（３）は、バック本体（１）の長手方向に沿って所定間隔離間して設けられた一対の取付部（５，５）に、上下両端部が各々取り付けられて肩掛け可能に構成されている長尺状物品収容バックにおいて、肩ベルト（３）と持ち手（４）とは互いに対向するように設けられ、バック本体（１）の開口部（７）は持ち手（４）側に設けられ、バック本体（１）の両取付部（５，５）間には、肩ベルト（３）の中途部の所定箇所をバック本体（１）に止着するベルト保持手段が設けられていることを特徴とする長尺状物品収容バック。
【発明の詳細な説明】
【０００１】
【発明の属する技術分野】
本発明は、釣竿やゴルフクラブ等の長尺状物品を収容する長尺状物品収容バックに関し、例えば、釣竿を収容するロッドケースに関する。
【０００２】
【従来の技術】
従来、この種のロッドケースは、釣竿の形状に合わせてバック本体も上下に細長く形成されており、そのバック本体の側壁には、肩に掛けて持ち運ぶための肩ベルトと手で把持して持ち運ぶための持ち手とが取り付けられている。また、肩ベルトは、その上下両端部がバック本体の長手方向に所定間隔離間して設けられた一対の取付部に取り付けられている。
【０００３】
【発明が解決しようとする課題】
しかるに、肩ベルトを使用せずに持ち手を把持してロッドケースを持ち運ぶと、肩ベルトの上下両端部間の部位である中途部が垂れ下がり、携帯中に、揺れたり、時には障害物にひっかかったりする場合があった。
このように、従来のロッドケースにおいては、持ち手を把持して携帯する場合に、肩ベルトが携帯の邪魔になることがあった。
【０００４】
そこで本発明は上記従来の問題点に鑑みてなされたもので、携帯中の肩ベルトの垂れ下がりを抑制することにより、バックの携帯性を向上させることを課題とする。
【０００５】
【課題を解決するための手段】
本発明は、上記課題を解決すべくなされたものであり、本発明に係る長尺状物品収容バックは、釣竿等の長尺状物品を収容すべく形成されたバック本体に肩ベルトと持ち手とが取り付けられ、肩ベルトは、バック本体の長手方向に沿って所定間隔離間して設けられた一対の取付部に、上下両端部が各々取り付けられて肩掛け可能に構成されている長尺状物品収容バックにおいて、バック本体の両取付部間には、肩ベルトの中途部の所定箇所をバック本体に止着するベルト保持手段が設けられていることを特徴とする。尚、中途部とは、上下両端部間の部位である。
【０００６】
該バックにあっては、肩ベルトの中途部の所定箇所をベルト保持手段によりバック本体に止着させて、持ち手を持ってバックを携帯することができる。
【０００７】
特に、肩ベルトの裏面には被係着部が設けられ、バック本体には、被係着部が係着可能な係着部がベルト保持手段として設けられていることが好ましい。
【０００８】
更に、肩ベルトには肩当てパッド部が設けられ、該肩当てパッド部より下方側の位置に被係着部が設けられていることがより好ましい。
【０００９】
また、本発明に係る長尺状物品収容バックは、釣竿等の長尺状物品を収容すべく形成されたバック本体に肩ベルトと持ち手とが取り付けられ、肩ベルトは、バック本体の長手方向に沿って所定間隔離間して設けられた一対の取付部に、上下両端部が各々取り付けられて肩掛け可能に構成されている長尺状物品収容バックにおいて、肩ベルトと持ち手とは互いに対向するように設けられ、バック本体の開口部は持ち手側に設けられ、バック本体の両取付部間には、肩ベルトの中途部の所定箇所をバック本体に止着するベルト保持手段が設けられていることを特徴とする。
【００１０】
【発明の実施の形態】
以下、本発明の長尺状物品収容バックの一実施形態について、図１及び図２を参酌しつつ肩ベルト付きのロッドケースについて説明する。
【００１１】
１はバック本体で、釣竿Ｌを収容すべく、上下方向に沿って細長く形成されており、長手方向に沿った四つの側壁２を有して断面視略角筒状に形成されている。
【００１２】
尚、バック本体１は、その内部に釣竿Ｌを収容する収容空間を備えているが、収容空間が一つの一槽式や、収容空間が複数の多槽式とすることができる。多槽式の場合には、各々の収容空間に釣竿Ｌを分離収容できる。本実施形態では、互いに独立した収容空間が三つある三槽式のものである。
【００１３】
また、バック本体１には、肩ベルト３と持ち手４とが互いに対向するように設けられている。
【００１４】
具体的には、バック本体１の一つの側壁２ａには、上下方向（長手方向）に所定間隔離間して、肩ベルト３を取り付けるための一対の取付部５が設けられている。そして、該一対の取付部５に、肩ベルト３の上下両端部が各々取り付けられている。
【００１５】
そして、該肩ベルト３が取り付けられた側壁２ａと隣接する一対の側壁２ｂ，２ｂに、一対の持ち手４が、肩ベルト３とは反対方向に向けて各々取り付けられている。そして、肩ベルト３が取り付けられた側壁２ａと対向した反対側の側壁２ｃの上方位置において、一対の持ち手４が重ね合わせられ、この重ね合わせ状態を保持する重ね合わせ手段としての重ね合わせ用布体６で両者の略中央部が包囲されてその重ね合わせ状態が保持されている。尚、側壁２ｂと側壁２ｃとの境界部に持ち手４を設けたり、肩ベルト３が取り付けられた側壁２ａと反対側の側壁２ｃに持ち手４を設けることもできる。
【００１６】
更に、肩ベルト３が取り付けられた側壁２ａと反対側の側壁２ｃには、バック本体１の開口部７が設けられている。具体的には、バック本体１は長手方向に沿った複数の収容空間を備えているので、各収容空間毎に独立した開口部７を有し、全ての開口部７がこの側壁２ｃに長手方向に沿って並設されている。そして、各開口部７は、スライドファスナー８によって開閉自在に構成されている。このように、この開口部７のある側壁２ｃに直接持ち手４を設けずに、その側壁２ｃに隣接する一対の側壁２ｂから持ち手４を側方に向けて各々延設し、側壁２ｃの上方位置において一対の持ち手４を重ね合わせる構成としているので、開口部７を容易に構成でき、特に開口部７を複数設ける場合にスペースの関係から効果が大きい。
【００１７】
一方、上述した肩ベルト３についてより詳細に説明すると、該肩ベルト３は、その上下両端部に取付具９を有し、該取付具９を介してバック本体１の取付部５に着脱自在に取り付けることができる構成となっている。
【００１８】
また、該肩ベルト３は、上端部側に肩当てパッド部１０を、下端部側にベルト長さ調節部１１を、それぞれ備えている。肩当てパッド部１０は、肩に掛けた際に肩に当接する部位であり、ベルト長さ調節部１１は、ベルトの一部分を下端部で折り返して二重にした部分であり、この環状となった二重の部分の長さを調節することで肩ベルト３の長さ（上下両端部間の長さ）を調節することができる構成である。
【００１９】
更に、この肩ベルト３の中途部の所定箇所がバック本体１から離れないように、該所定箇所をバック本体１に止着できるように構成されている。具体的には、肩ベルト３の裏面には被係着部が設けられ、バック本体１の側壁２ａの両取付部５間には、肩ベルト３の被係着部が係着可能な係着部が、肩ベルト３の中途部をバック本体１に止着するためのベルト保持手段として設けられている。
【００２０】
より具体的には、被係着部と係着部として、互いに凹凸係合する一組のスナップボタン１２ａ，１２ｂが設けられている。そして、肩ベルト３側の被係着部としてのスナップボタン１２ｂは、肩当てパッド部１０より下方側の位置に、具体的には、肩当てパッド部１０とベルト長さ調節部１１との間の位置における裏面側に取り付けられている。また、バック本体１側の係着部としてのスナップボタン１２ａは、両取付部５間を所定の比率で内分する位置に設けられ、両取付部５を結ぶ線上に略位置している。
【００２１】
本実施形態におけるロッドケースは、以上のように構成されたことにより以下のような利点を有する。
【００２２】
即ち、まず、肩ベルト３を持ち手４と反対側に設けたことにより、持ち手４側の側壁２ｃにバック本体１の開口部７を設けることができる。従って、持ち手４を把持して携帯するときに開口部７が上方に位置することとなり、開口部７を完全に閉じなくても、釣竿Ｌ等が落ちることがない。
【００２３】
次ぎに、肩ベルト３の中途部をスナップボタン１２ａ，１２ｂによってバック本体１の側壁２ａに止着できるので、止着された肩ベルト３の中途部の箇所がバック本体１から離反しなくなり、その分、図３のように、肩ベルト３の下方への垂れ下がりが抑制される。また、その結果として、肩ベルト３が携帯中に揺れて障害物にひっかかったりすることも抑制される。
【００２４】
特に、肩ベルト３の裏面とバック本体１とにそれぞれ被係着部と係着部としてのスナップボタン１２ａ，１２ｂを設けたので、確実に且つ容易に止着することができ、また、止着状態も容易に且つ素早く解除できて肩ベルト３を肩に掛けてバックを携帯することができる。
【００２５】
しかも、肩ベルト３のスナップボタン１２ｂを肩当てパッド部１０とベルト長さ調節部１１の間の位置に設けているので、ベルトの長さ調節にも不具合を与えず且つ、肩当てパッド部１０に設けていないので、肩にスナップボタン１２ｂが当たるなどの不具合も起こりにくい。そのうえ、スナップボタン１２ｂの位置が極端に一端側に偏らず略中央部に近いので、肩ベルト３の垂れ下がりの抑制に効果が大きい。
但し、少なくとも肩当てパッド部１０より下方側の位置に被係着部を設けることにより、被係着部が肩に接触することによる不快感を防止できる。
【００２６】
また、上述したように肩ベルト３を持ち手４と反対側に設けているので、図３のように持ち手４を把持してバックを携帯した時、肩ベルト３の中途部をバック本体１に止着しないと図３に二点鎖線にて示すように下方に垂れた肩ベルト３の中途部が地面に接触して汚れたり損傷したりすることがあるが、実線にて示すように、スナップボタン１２ａ，１２ｂを用いて中途部をバック本体１に止着することにより、垂れ下がり量を抑制でき、地面と接触することなく携帯することができる。従って、肩ベルト３が地面の岩等にひっかかったりすることも抑制でき、バックの携帯性を向上させることができるのである。
【００２７】
尚、被係着部と係着部として一組のスナップボタン１２ａ，１２ｂを用いたが、無論、その他の種々の構成も採用できる。例えば、一対のマグネットや雄雌一対の面ファスナーを、被係着部及び係着部として用いることもできる。但し、面ファスナーの場合、携帯者の衣服が雄側の面ファスナーにひっかかったり、面ファスナーにゴミ等が付着して汚れたりする可能性もあるので、上述のようなスナップボタンやマグネット等がより好ましい。
【００２８】
また、肩ベルト３に被係着部を設けずに、バック本体１のベルト保持手段で肩ベルト３をバック本体１に止着することもできる。
例えば、図４のように、バック本体１の側壁２ａに、一端部２０ａが固着され他端部２０ｂが側壁２ａに着脱自在とされた帯状部材２０を設けてベルト保持手段とすることもできる。即ち、帯状部材２０が肩ベルト３を外側から跨ぐことにより、肩ベルト３の中途部の所定箇所、この例では、肩当てパッド部１０とベルト長さ調節部１１との間の箇所を、側壁２ａから離反しないように保持することができる。
また、この構成では、帯状部材２０の他端部２０ｂを着脱させることにより、止着状態と解除状態とを使い分けることができる。尚、スナップボタンや面ファスナーを他端部２０ｂに用いて他端部２０ｂを着脱自在とすることができる。
【００２９】
このように肩ベルト３に被係着部を設けない構成とすることも可能であるが、被係着部を設けてそれをバック本体１の係着部に係着させることによって肩ベルト３の所定箇所をバック本体１に止着させる構成とすることが好ましく、これにより、肩ベルト３の長手方向の位置ずれも確実に防止できるという利点がある。
【００３０】
何れにしても、肩ベルト３の中途部の所定箇所をバック本体１から離れないように保持できるベルト保持手段を設けることにより、肩ベルト３の垂れ下がりを抑制できてバックの携帯性を向上できるのである。従って、上述のように、肩ベルト３と持ち手４とが対向する場合のみならず、肩ベルト３と持ち手４とを同一側壁に設けた場合などであっても、ベルト保持手段を設ける効果が得られる。
更に、ベルト保持手段を設ける箇所については、バック本体１の両取付部５が設けられている側壁２ａには限定されない。即ち、例えば、両取付部５が設けられた側壁２ａに隣接する側壁２ｂに、ベルト保持手段を設けることも可能であり、ベルト保持手段を設ける箇所は、バック本体１における両取付部５間の領域であればよい。
その他、本発明はロッドケース以外に例えばゴルフバックにも無論採用できる。
【００３１】
【発明の効果】
以上のように、肩ベルトの中途部の所定箇所をバック本体に止着するベルト保持手段により、肩ベルトの垂れ下がりが抑制されて、携帯時の揺れや他のものとの引っかかり等が抑制され、バックの携帯性を向上させることができる。
【００３２】
また、持ち手と肩ベルトとを互いに対向して設けて、バック本体の開口部を持ち手側に設けることにより、持ち手を把持して携帯する場合、開口部を完全に閉じなくても収容した長尺状物品が落ちるおそれがなくなる。しかも、肩ベルトの中途部の所定箇所をベルト保持手段でバック本体に止着させることにより、持ち手を把持して携帯する際に、肩ベルトの下方への垂れ下がりが抑制され、肩ベルトと地面との接触が抑制されて肩ベルトの汚れや損傷が抑制され且つ、肩ベルトの地面との引っかかりも抑制されて、バックの携帯性を向上できる。
【図面の簡単な説明】
【図１】本発明の一実施形態における長尺物品収容バックを肩ベルト側から見た斜視図。
【図２】同長尺物品収容バックを持ち手側から見た斜視図。
【図３】同バックの使用状態を示す概略説明図。
【図４】他の実施形態の長尺物品収容バックの要部説明図。
【符号の説明】
１…バッグ本体、２…側壁、３…肩ベルト、４…持ち手、５…取付部、６…重ね合わせ用布体、７…開口部、８…スライドファスナー、９…取付具、１０…肩当てパッド部、１１…ベルト長さ調節部、１２ａ…スナップボタン（係着部）、１２ｂ…スナップボタン（被係着部）、２０…帯状部材（ベルト保持手段）
【図１】
0004237379.tif 000002
【図２】
0004237379.tif 000003
【図３】
0004237379.tif 000004
【図４】
0004237379.tif 000005